(57)【要約】【課題】布団籠の搬送、施工をできるだけ簡単化するばかりでなく、コンピュータにより物流が管理され、合理化されるようにしたビジネスネットワークによる蛇籠施工法を提供する。【解決手段】蛇籠の施工を受注する施工管理者、蛇籠に詰める骨材を供給する石材業者及び蛇籠を製造する蛇籠製造業者により、コンピュータを介して接続されるビジネスネットワークを構成する。施工管理者の管理用コンピュータに登録した石材業者において、予め蛇籠製造業者から蛇籠用資材を仕入れ、自社工場において機械によりそれに石詰めして、石詰め籠なる施工用資材として保有し、上記施工管理者からの発注に応じて、その石詰め籠を施工現場に搬送し、施工管理者の管理下において該石詰め籠を所定の位置に設置する。【選択図】        図１
2004232236.tif 000002
【特許請求の範囲】
【請求項１】
蛇籠の施工を受注する施工管理者、蛇籠に詰める骨材を供給する石材業者、及び蛇籠を製造する蛇籠製造業者が、コンピュータを介して接続されるビジネスネットワークを構成し、
施工管理者の管理用コンピュータに登録した石材業者において、予め蛇籠製造業者から蛇籠用資材を仕入れ、自社工場において機械によりそれに石詰めして、石詰め籠なる施工用資材として保有し、
上記施工管理者における上記管理用コンピュータにより抽出、発注した石材業者において、その石詰め籠を施工現場に搬送し、施工管理者の管理下において該石詰め籠を所定の位置に設置する、
ことを特徴とするビジネスネットワークによる蛇籠施工法。
【請求項２】
施工管理者において、受注した蛇籠工事の内容を、各種施工条件等と共に管理用コンピュータに入力し、該コンピュータにおいて、予め対応可能な施工条件と共に登録されている石材業者のうちで、発注者からの施工条件に適合する石材業者を抽出し、それらの石材業者の中から条件に最も適合する業者を選択して、施工を発注することを特徴とする請求項１に記載のビジネスネットワークによる蛇籠施工法。
【請求項３】
施工管理者の管理用コンピュータにおいて、登録されている石材業者のうちで発注者からの施工条件に適合する石材業者を自動的に抽出して、それらの石材業者に見積りを求め、見積を提出した石材業者の中から、条件に最も適合する石材業者を上記管理用コンピュータにおいて自動的に選択することを特徴とする請求項２に記載のビジネスネットワークによる蛇籠施工法。
【請求項４】
石材業者のコンピュータにおいて、蛇籠用資材及びそれに石を詰めた石詰め籠の在庫管理を行い、その管理結果に基づいて、上記コンピュータに登録された蛇籠製造業者のうちの適切な業者から蛇籠用資材を仕入れて石詰め作業を行うことを特徴とする請求項１乃至３のいずれかに記載のビジネスネットワークによる蛇籠施工法。
【発明の詳細な説明】
【０００１】
【発明の属する技術分野】
本発明は、コンピュータ利用により物流管理されるところの、ビジネスネットワークによる蛇籠（主として布団籠）の施工方法に関するものである。
【０００２】
【従来の技術】
従来から河川や擁壁の工事のための蛇籠の施工は、通常、施工現場に敷設した金網製の布団籠に別途搬送した骨材を詰めることにより行い、その作業の主体は人力によるのが一般的である。この場合、布団籠用資材とそれに詰める骨材とは別々の建設資材であって、それらを個別的に施工現場の近辺に搬送し、そこに確保したストックヤードにそれらを一時的に保管したうえで、施工業者により所要の施工、即ち布団籠の敷設及びその中への骨材の充填という多くの作業が行われるが、上記ストックヤードのための用地の確保が比較的困難な場合が多く、また、足場が悪い場合には作業用車両を導入しようとしてもそれが困難であるという問題がある。
【０００３】
このような問題を解決することは、現時点における重要な課題の一つではあるが、その課題解決と同時に、更に近年一般に活用されている情報技術（ＩＴ）を利用して、施工の受注から資材の調達や、実際に作業する業者の選択、施工までをも、高能率的に行えるようなシステムの構築が求められている。
【０００４】
上述した問題に対処し、特許文献１においては、骨材の生産現場に搬入した布団籠内に重量調整を行いながら石詰めして布団籠を製造し、重量を均一化した前記布団籠を施工現場へ運搬して設置する布団籠の施工方法を開示している。
また、特許文献２においても略同様な技術を開示している。
これらの施工方法では、布団籠を骨材重量の計量用や搬送用の容器として使用しているため、骨材及び布団籠の搬送、施工を簡単化することができるが、布団籠の施工における物流形態あるいはビジネス形態は本質的に従来の方式と大差がなく、例えば、コンピュータ利用のビジネス形態の改変等に関しては全く考慮されていない。
更に、それらの施工方法は、上記コンピュータ利用のビジネス形態に適合させることについて全く考慮していない。
【０００５】
【特許文献１】
特許第３０４７２６３号公報
【特許文献２】
特開２００２−９７６１６号公報
【０００６】
【発明が解決しようとする課題】
本発明の技術的課題は、上記既提案の施工方法と同様に、布団籠の搬送、施工をできるだけ簡単化するばかりでなく、蛇籠の施工における物流の形態あるいはビジネス形態を変え、特に、コンピュータにより物流が管理され、合理化されるようにしたビジネスネットワークによる蛇籠施工法を提供することにある。
【０００７】
本発明の他の技術的課題は、上記コンピュータによる物流管理を容易にするべく、石材業者において、自社工場において機械により予め蛇籠内に石を詰めることにより、石の野積み等に変えて「石詰め籠」なる施工用資材として保有し、受注時に、その搬送、指定位置への設置のみを行うようにして、従来の施工業者による施工現場作業、工期を著しく短縮できるようにした蛇籠施工法を提供することにある。
【０００８】
本発明の他の技術的課題は、石材業者においてある程度の「石詰め籠」なる施工用資材を保有するため、蛇籠製造業者に対する蛇籠の発注は、施工業者を通じて受ける工事発注者からの発注量に応じた量ではなく、石材業者の保有量に基づく比較的多い量になる可能性が高いため、石材業者として比較的安価に蛇籠の供給を受けることができるばかりでなく、蛇籠製造業者においても安定した生産目標で安価に蛇籠を製造、販売可能にすることにある。
【０００９】
【課題を解決するための手段】
上記課題を解決するための本発明の蛇籠施工法は、蛇籠の施工を受注する施工管理者、蛇籠に詰める骨材を供給する石材業者、及び蛇籠を製造する蛇籠製造業者が、コンピュータを介して接続されるビジネスネットワークを構成し、施工管理者の管理用コンピュータに登録した石材業者において、予め蛇籠製造業者から蛇籠用資材を仕入れ、自社工場において機械によりそれに石詰めして、石詰め籠なる施工用資材として保有し、上記施工管理者における上記管理用コンピュータにより抽出、発注した石材業者において、その石詰め籠を施工現場に搬送し、施工管理者の管理下において該石詰め籠を所定の位置に設置することを特徴とするものである。
【００１０】
上記本発明の蛇籠施工法の好ましい実施の形態においては、施工管理者において、受注した蛇籠工事の内容を各種施工条件等と共に管理用コンピュータに入力し、該コンピュータにおいて、予め対応可能な施工条件と共に登録されている石材業者のうちで、発注者からの施工条件に最も適合する石材業者を抽出し、それらの石材業者の中から条件に適合する業者を選択して施工が発注され、更に具体的には、施工管理者の管理用コンピュータにおいて、登録されている石材業者のうちで発注者からの施工条件に適合する石材業者を自動的に抽出して、それらの石材業者に見積りを求め、見積を提出した石材業者の中から、条件に最も適合する石材業者が上記管理用コンピュータにおいて自動的に選択される。
【００１１】
また、本発明の好ましい実施形態においては、石材業者のコンピュータにおいて、蛇籠用資材及びそれに石を詰めた石詰め籠の在庫管理を行い、その管理結果に基づいて、上記コンピュータに登録された蛇籠製造業者のうちの適切な業者から蛇籠用資材を仕入れて石詰め作業が行われる。
【００１２】
上述した本発明に係るビジネスネットワークによる蛇籠施工法においては、特に、「石詰め籠」なるものを施工に供する一つの資材として扱い、それを石材業者がストックして販売し、その石材業者が施工管理者の管理の下に施工現場に搬送、設置するようにし、また、コンピュータを利用したビジネスネットワークを構成し、施工管理者の管理用コンピュータに石材業者が施工可能な条件と共に登録し、石材業者のコンピュータに蛇籠製造業者を登録しておくようにしているので、情報技術（ＩＴ）を利用して、施工の受注から資材の調達や、実際に作業する業者の選択、施工までをも、可能な範囲内で自動的に行い、しかも、施工を高能率的に行うことができる。
【００１３】
【発明の実施の形態】
図１は、本発明のビジネスネットワークによる蛇籠施工法の実施の形態を説明するためのものである。
先ず、このビジネスネットワークは、図１に示すように、蛇籠の施工を受注する施工管理者と蛇籠に詰める骨材を供給する石材業者、及び該石材業者と蛇籠を製造する蛇籠製造業者とが、コンピュータを介して接続されることにより構成される。
【００１４】
このビジネスネットワークを構成するに当たり、上記施工管理者の管理用コンピュータには、予めその施工管理者と取引きする石材業者が、対応可能な施工条件と共に登録される。上記施工条件としては、例えば、施工地域、施工できる工事規模、採用できる施工法などがある。石材業者が施工現場に骨材を搬送する場合に、その搬送距離が長いことは経済的に望ましいことではなく、そのため、各施工管理者の管理用コンピュータに登録される石材業者は、全国的に多数散在する業者のうちで、その施工管理者の施工地域に近い場所に骨材を保有している業者に限られる。施工管理者が広域の施工を行う業者である場合には、必然的にその広域に対応した石材業者が登録されることになる。上記石材業者が複数の施工管理者の管理用コンピュータに取引きの登録を行えるのは勿論である。
【００１５】
この施工管理者の管理用コンピュータへの石材業者の登録は、石材業者自身がインターネットを通じて必要事項を書き込むことにより行うようにすることもできるが、施工管理者が登録の申し出のあった石材業者のうちで一定の基準に沿う適切な業者を選定して入力することもできる。
【００１６】
また、石材業者のコンピュータにおいては、予めその石材業者と取引きする蛇籠製造業者が、対応可能な製品の品種、その他の製造条件等と共に登録される。更に、該コンピュータにおいては、蛇籠及びそれに付随する資材を含む蛇籠用資材及びそれに石を詰めた石詰め籠の在庫管理が行われるようにプログラムされ、しかも、望ましくは、その管理結果に基づいて上記コンピュータに登録された蛇籠製造業者のうちの適切な業者を自動的に選択できるようにプログラムされる。従って、石材業者は、この在庫管理データに基づいて蛇籠用資材の発注を行うことができる。
上記蛇籠製造業者の登録は、石材業者自体がインターネットを通じて必要事項を書き込むことにより行うことができるが、石材業者が登録の申し出のあった蛇籠製造業者のうちで一定の基準に沿う適切な業者を選定して入力することもできる。
【００１７】
次に、上記ビジネスネットワークが構成された状態において、発注者（施主：通常は官公庁）から受注した工事の施工の態様について説明する。
先ず、発注者からは、従来通りの書面等により、あるいはインターネットを通じて、施工管理者に所定の工事を発注する旨が伝えられる。この発注時には、工事場所、工事の内容、規模、工期、その他の施工条件等が伝えられるのは勿論である。
施工管理者において、上記発注者からの工事受注が書面等により行われたときには、その受注した蛇籠工事の内容を、その工事についての各種施工条件等と共に管理用コンピュータに入力する必要がある。
【００１８】
施工管理者の管理用コンピュータにおいては、予め対応可能な施工条件と共に登録されている石材業者のうちで、発注者からの施工条件に適合する石材業者を抽出し、それらの石材業者の中から条件に最も適合する業者を自動的または適宜基準で選択し、その結果に基づいて石材業者に発注される。
更に具体的には、施工管理者の管理用コンピュータにおいて、発注者からの施工条件に適合する複数の石材業者を自動的に抽出したうえで、それらの石材業者に期限を指定して、受注する意志があり且つ受注できる態勢にあるならば、見積りを提出することを求め、所定の期限内に見積を提出した石材業者の中から、条件に最も適合する（例えば、価格が最も安価な）石材業者に、「石詰め籠」なる施工用資材を指定場所（施工現場）に納入するように発注される。
【００１９】
上記「石詰め籠」は、骨材を販売しようとする上記石材業者において、可能な範囲内で、予め自社工場において油圧ショベル等の機械により蛇籠に石詰めし、それを施工用資材として保有しておくもので、それを施工管理者の指示に基づいて上記指定場所に搬送できるように準備しておく。そのためには、予め、蛇籠製造業者から機械詰め用の蛇籠用資材を仕入れ、それに骨材を機械詰めすることにより、「石詰め籠」なる施工用資材として保管する。
【００２０】
上記蛇籠用資材は、それに骨材を機械詰めすることと、施工現場への搬送のために重機による吊り下げを行うことを考慮して、必要な強度を持つように製作されたものでなければならない。
具体的には、先ず、上記骨材を機械詰めする場合には、例えば、油圧ショベル等が用いられ、それによって大量の骨材を一挙に機械詰めし、しかも、充填率を高めるために投入した骨材を表面側から押さえ付ける作業が付加される。そのためには、蛇籠にそのような取り扱いに耐える強度、つまり、骨材の機械詰め時に側面が膨らむのを抑制する強度を持たせる必要がある。更に、蛇籠は施工現場への搬送及び現場での設置のために、重機により吊り下げを行う必要があるが、そのためには、吊り下げに耐える強度、つまり、吊り下げ時に底面が膨らむのを防止する強度を持たせることが必要になる。但し、それに伴うコストの増大はできるだけ抑制する必要がある。
【００２１】
結果的に、ここでは、蛇籠の周囲を取り囲むように単一段または複数段の補強筋を配置すると共に、骨材の機械詰めに際して蛇籠の周側面の外側に分解可能な石詰め用補強枠を配置して、主としてその補強枠に骨材の機械詰めを行う際の強度を負担させ、また、吊り下げ時における蛇籠の底面の膨れは、該底面の下に単数または複数の平行な支持筋を設けてそれに重量を負担させ、更に、その支持筋と上記蛇籠の周囲を取り囲む補強筋との間を筋交いで繋ぐことにより、一層支持力を高めるなどの手段を採用するのが適切である。なお、上記支持筋は石詰め籠を現場に設置した後に抜脱可能にすることが望まれる。
上記石詰め用補強枠は、蛇籠と共に搬送するものではなく、石詰めに際して蛇籠の周囲に配置するものであり、その結果、蛇籠の寸法は一定または少種類であることが望ましく、蛇籠の品種を少なくして、蛇籠製造業者のコストを低下させるのにも有効である。
【００２２】
石材業者が供給する蛇籠用の骨材は、石材業者にとっては、場合によって廃棄処分すべき材料であり、それを上記蛇籠に機械詰めして「石詰め籠」なる施工用資材として保有することにより、該骨材の有効利用を図ることができる。また、石材業者としては、従来、適当な集積場所に野積みしていた骨材を、予め蛇籠に詰めておくだけで、蛇籠工事の施工用資材として有効活用でき、しかも、受注したときにはそれを搬送するだけでよいため、従来の骨材のみを要求に応じて販売していたのに比して、特に面倒になるわけではなく、むしろ、販路の拡大を期待することができる。
【００２３】
また、石材業者は、上述したように、受注を行ったときに「石詰め籠」を施工現場に搬送するだけの作業で済み、自社工場で定常的に蛇籠に骨材を詰める作業を行うため、石詰め籠の品質が安定し、しかも、工事の受注の多寡による作業量の波を吸収することができ、定常的にまとめて蛇籠を蛇籠製造業者に発注できるので、安価に蛇籠の供給を受けることができる。
一方、蛇籠製造業者は、工事の発注者からの各現場毎の蛇籠使用量に応じた受注ではなく、石材業者からの定常的な発注を受けることができるので、安定した生産目標で蛇籠を製造、販売することができる。
【００２４】
実際の施工に際しては、施工管理者からの発注を受けた石材業者が、上述したように予め自社工場で蛇籠に石を詰めた「石詰め籠」なる施工用資材を施工現場に搬送し、施工管理者の監督のもとに、その指示に従って多数の「石詰め籠」を所定の場所に並べて置くことにより、実質的に工事の大半を完了することができる。並べた蛇籠相互の連結や、不均一な骨材の均しなどはこの時点で行うことになる。蛇籠に対する蓋の取付けは、この時点で行ってもよいし、石材業者が搬送前に予め行っておいてもよい。
【００２５】
このような施工法によれば、従来の施工法のように、施工管理者が蛇籠や骨材等の調達、作業者の手配等をする必要がなく、しかも、現場で蛇籠の配設及び石詰めを行う必要がないので、従来の施工法に比して工期を大幅に短縮することができ、この工期の大幅な短縮は、災害復旧などの緊急時への対応に極めて有効なものである。
更に、上記施工法によれば、従来のように蛇籠や骨材のストックヤードを確保する必要がないばかりでなく、施工完了後に余剰の骨材が残り、その処分に困るなどの問題もなく、材料ロスの削減を図り、仕入れコストを低減すると同時に、余剰骨材の処分に要するコスト負担がなく、余剰骨材放置による環境破壊の責めを負うこともない。また、骨材と蛇籠とをそれぞれの業者が現場に搬送するのではなく、石材業者がそれらをまとめて搬送するので、輸送コストを大幅に低減することができる。
【００２６】
【発明の効果】
以上に詳述した本発明のビジネスネットワークによる蛇籠施工法によれば、施工管理者、石材業者及び蛇籠製造業者が、コンピュータを介して接続することにより上記ビジネスネットワークを構成し、布団籠の搬送、施工をできるだけ簡単化するばかりでなく、情報技術とは無縁な蛇籠施工の業界における物流の形態あるいはビジネス形態を改変し、コンピュータにより蛇籠施工のための物流を管理し、合理化することができる。この場合、特に、石材業者において蛇籠内に骨材を機械詰めした「石詰め籠」なる施工用資材を保有することが、上記コンピュータ利用の物流管理のために極めて有効である。
【００２７】
また、上記施工法を採用することにより、施工現場作業の軽減、工期の著しい短縮、施工歩掛りの軽減、設計単価の低廉化、資材ロスの低減による仕入れコストの低下、人件費の軽減などを期待することができる。
結果的に、上記本発明の施工法は、発注者（施主）、施工管理者、石材業者及び蛇籠製造業者のいずれにおいても、満足できる工法ということができる。
【図面の簡単な説明】
【図１】本発明の蛇籠施工法において構成されるビジネスネットワークの概要を示すブロック構成図である。
【図１】
2004232236.tif 000003